(57)【要約】【課題】地上波デジタル１ＳＥＧ放送のデータ放送において、１ページの画面サイズを超えるコンテンツの場合は複数のページに分割されて送出され、データ放送受信端末では、ユーザーは受信した複数のページのデータを操作により、ページ毎に順次取得して表示するため、ユーザーは全体のページ数やデータ量を視覚的に認識することができない。【解決手段】受信開始時に先頭ページから順に遷移情報イベントの検出を行い、遷移情報イベントが検出されると遷移情報イベントを基に次ページのデータを先読みするといった動作を繰り返し、コンテンツ全体の画像サイズを算出する。算出した全体の画像サイズと別途算出した現在位置を基にページスクロール表示を行う。【選択図】図１
2006211301.tif 000002
【特許請求の範囲】
【請求項１】
受信したデータ放送のコンテンツが複数ページに分割されていることを検出するためのイベント検出手段と、複数ページに分割されたコンテンツの全データ量を算出するデータ量算出手段と、現在表示している画面（ページ）がコンテンツ全体のどの位置にあたるかを算出するための画面位置算出手段と、前記データ量算出手段で算出されたコンテンツ全体のデータ量と、前記画面位置算出手段で算出された画面位置情報と、ユーザーにより指示されたページなどを表示する表示手段と、を有することを特徴とするデータ放送受信端末。
【請求項２】
前記イベント検出手段は、規格「ＡＲＩＢ−ＴＲ−Ｂ１４」に記載されている画面の下端で発生するイベントを検出すると、コンテンツが複数ページに分割されていると判断することを特徴とする請求項１に記載のデータ放送受信端末。
【請求項３】
前記イベント検出手段が前記イベントを検出すると次ページのデータを取得する先読みデータ取得手段をさらに有することを特徴とする請求項２に記載のデータ放送受信端末。
【請求項４】
前記データ量算出手段は、前記表示手段でコンテンツ全体のデータ量をスクロール形式で表示する場合はデータ量を画面サイズで算出し、前記表示手段でコンテンツ全体のデータ量をページ数で表示する場合はデータ量をページ単位で算出することを特徴とする請求項１に記載のデータ放送受信端末。
【請求項５】
コンテンツ更新判別手段をさらに有し、前記コンテンツ更新判別手段がコンテンツの更新があったことを判別すると、更新されたコンテンツの先頭ページを前記表示手段に表示するとともに、前記データ量算出手段により再度前記更新されたコンテンツのコンテンツ全体のデータ量を算出し、算出した前記コンテンツ全体のデータ量を前記表示手段に表示をすることを特徴とする請求項３あるいは４に記載のデータ放送受信端末。
【発明の詳細な説明】
【技術分野】
【０００１】
本発明は、データ放送を受信可能なデータ放送受信端末において、複数ページに分割されて送られてくるコンテンツ全体を、ページスクロール表示形式またはページ数表示形式を用いてユーザーが視覚的に認識できるようにする技術に関する。
【背景技術】
【０００２】
近年、テレビ放送は現在のアナログ放送からデジタル放送へのシフトが進められており、２０００年度にはＢＳデジタル放送が開始され、また、２００３年度には一部の地域で地上波デジタル放送が開始され、その後放送地域の拡大が順次図られている。
【０００３】
デジタル放送は、映像の高画質化や多チャンネル放送が可能などの特徴があるのに加え、マルチメディアサービスとしてデータ放送が可能となっている。データ放送では、動画、音声、静止画、文字図形などを用いて様々なサービスを提供することができる。
【０００４】
ＢＳデジタル放送や現在の地上波デジタル放送は、主に家庭で使用しているような据え置き型のテレビ受信機（以下、固定受信機と記す）を対象としており、ある程度大きな画面での視聴を想定している。固定受信機を対象とする場合は１画面で表示できる情報量が多いため、データ放送においては、送信側は１画面で表示できないようなコンテンツは送信していない。また、社団法人電波産業会が策定したデジタル放送規格が記載されている「ＡＲＩＢ−ＳＴＢ−Ｂ２４」にも１画面を超えるようなコンテンツは想定されていない。
【０００５】
一方、２００５年度を目処に、デジタルテレビ放送の受信機能を持った携帯電話などの携帯受信端末向けのデジタル放送として、１セグメント地上波デジタル放送（以下、１ＳＥＧ放送と記す）の開始が予定されている。１ＳＥＧ放送は、固定受信機向けのデジタル放送と比べて伝送できるデータ量が少なく、主に出先や移動中などでの簡易的なテレビ視聴用という位置づけとなっている。
【０００６】
１ＳＥＧ放送を受信する携帯受信端末の表示画面は固定受信機に比べて小さく、１画面に表示できる情報量も少ない。したがって、データ放送におけるコンテンツも１画面に表示できる情報量が少なく、１画面のみの表示では視聴者に満足できるコンテンツを提供することは困難である。そこで、１ＳＥＧ放送においては、簡易的にページスクロールができる規格「ＡＲＩＢ−ＴＲ−Ｂ１４」が策定されている。この規格では、１画面（１ページ）を超えるコンテンツの上端及び下端までスクロールされた状態で、そのスクロールの領域を越えるページスクロールの指示がなされた際に、携帯受信端末は遷移情報イベントを検出して次ページのデータを読み込み、表示することができる。このようにすることで、携帯電話のような表示領域が小さい携帯受信端末においても、分割されて送られてくる仮想画面を、連続した１つのコンテンツとして視聴者に提供することができる。
【０００７】
上記のような処理方法と類似する技術として、パーソナルコンピュータにおいて複数のファイルの内容を連続して表示する装置に関する技術が、特許文献１に開示されている。
【０００８】
上記のように、データ放送のコンテンツが複数ページに分割されて送信されている状態において、ユーザーが、現在表示されているページの上端あるいは下端にスクロールした場合、携帯受信端末は、携帯受信端末内部で発生したイベントを検出し、それぞれ前ページあるいは次ページのデータを取得して、それぞれのデータを表示することができる。
【特許文献１】特開２００１−１４２５９７号公報
【発明の開示】
【発明が解決しようとする課題】
【０００９】
しかしながら、上記のような処理方法においては、ユーザーは現在視聴しているコンテンツが何ページあるのか、また、どれだけのデータ量があるのかを視覚的に認識することができないといった課題がある。
【００１０】
本発明の目的は、複数ページに分割された受信中のコンテンツが全体として何ページなのか、あるいはどの程度のデータ量なのかを、ユーザーが視覚的に認識できるようにすることである。
【課題を解決するための手段】
【００１１】
上記課題を解決するために、第１の本発明（請求項１）のデータ放送受信端末は、
受信したデータ放送のコンテンツが複数ページに分割されていることを検出するためのイベント検出手段と、複数ページに分割されたコンテンツの全データ量を算出するデータ量算出手段と、現在表示している画面（ページ）がコンテンツ全体のどの位置にあたるかを算出するための画面位置算出手段と、前記データ量算出手段で算出されたコンテンツ全体のデータ量と、前記画面位置算出手段で算出された画面位置情報と、ユーザーにより指示されたページなどを表示する表示手段とを有することを特徴とするデータ放送受信端末である。
【００１２】
第２の本発明（請求項２）のデータ放送受信端末は、
前記イベント検出手段は、規格「ＡＲＩＢ−ＴＲ−Ｂ１４」に記載されている画面の下端で発生するイベントを検出すると、コンテンツが複数ページに分割されていると判断することを特徴とする第１の本発明に記載のデータ放送受信端末である。
【００１３】
第３の本発明（請求項３）のデータ放送受信端末は、
前記イベント検出手段が前記イベントを検出すると次ページのデータを取得する先読みデータ取得手段をさらに有することを特徴とする第２の本発明に記載のデータ放送受信端末である。
【００１４】
第４の本発明（請求項４）のデータ放送受信端末は、
前記データ量算出手段は、前記表示手段でコンテンツ全体のデータ量をスクロール形式で表示する場合はデータ量を画面サイズで算出し、前記表示手段でコンテンツ全体のデータ量をページ数で表示する場合はデータ量をページ単位で算出することを特徴とする第１の本発明に記載のデータ放送受信端末である。
【００１５】
第５の本発明（請求項５）のデータ放送受信端末は、
コンテンツ更新判別手段をさらに有し、前記コンテンツ更新判別手段がコンテンツの更新があったことを判別すると、更新されたコンテンツの先頭ページを前記表示手段に表示するとともに、前記データ量算出手段により再度前記更新されたコンテンツのコンテンツ全体のデータ量を算出し、算出した前記コンテンツ全体のデータ量を前記表示手段に表示をすることを特徴とする第３の本発明あるいは第４の本発明に記載のデータ放送受信端末である。
【発明の効果】
【００１６】
本発明のデータ放送受信端末は、特に、表示画面の大きさが物理的に制約のある携帯受信端末において、複数ページに分割して送信されたデータ放送のコンテンツの全データ量を算出することにより、ページスクロール表示形式、またはページ数表示形式などの表示形式を用いて、ユーザーに対して全データ量を視覚的に認識させることができ、１ＳＥＧ放送におけるデータ放送の視覚性を向上させることができる。
【発明を実施するための最良の形態】
【００１７】
以下、本発明の実施の形態を、図面を参照しながら説明する。
【００１８】
（実施の形態１）
図１は、本発明の実施の形態１における、データ放送受信端末の構成例を示すブロック図である。
【００１９】
図１において、データ放送受信端末１００は、データ放送のコンテンツを受信するコンテンツ受信手段１０、データ放送受信端末１００の表示画面に表示するコンテンツのデータを記憶する表示データ記憶手段２０、複数ページに分割されて送られてくるデータを先読みして記憶する先読みデータ記憶手段３０、先読みデータ記憶手段３０で先読みしたデータの中に次ページへの遷移情報であるイベントが含まれているか否かを検索するためのイベント検出手段４０、複数ページに分割されて送られてくるコンテンツの全データ量を算出するデータ量算出手段５０、データ量算出手段５０で算出した全データ量を基に現在の表示位置を算出する画面位置算出手段６０、コンテンツやページスクロール表示形式またはページ数表示形式で画面位置情報などを表示するための液晶などの表示装置で構成される表示手段７０、ユーザーが実行命令の入力や画面操作などを行うための操作手段８０、および番組の切り替わりなどでコンテンツが更新されたことを判別するコンテンツ更新判別手段９０とで構成されている。
【００２０】
上記データ放送受信端末１００において、表示データ記憶手段２０は、データ放送受信開始時、コンテンツ受信手段１０が受信したデータ放送のコンテンツの先頭ページのデータを読み込み記憶する。このとき、表示手段７０は、表示データ記憶手段２０で記憶されているデータ、すなわち先頭ページのデータを表示する。イベント検出手段４０は、表示データ記憶手段２０に記憶された先頭ページのデータの中に次ページへの遷移情報である遷移情報イベントが含まれているか否かを検索する。先頭ページのデータの中に次ページへの遷移情報イベントが含まれていない場合は、受信しているコンテンツが１ページのデータであると判断する。一方、先頭ページのデータの中に次ページへの遷移情報イベントが含まれている場合は、受信しているコンテンツが複数ページに分割されていると判断し、先読みデータ記憶手段３０はコンテンツ受信手段１０が受信したデータ放送のコンテンツから次ページ（２ページ）のデータを先読みし、イベント検出手段４０は再度、２ページのデータの中に次ページへの遷移情報イベントが含まれているか否かの検索を行う。このような動作を繰り返し、遷移情報イベントが含まれていない最終ページまで遷移情報イベントが含まれているか否かの検索を行う。
【００２１】
この間、データ量算出手段５０は、先読みしたデータを基にコンテンツの全データ量、すなわちコンテンツ全体の画像サイズの算出を行う。また、画面位置算出手段６０は、データ量算出手段５０で算出したコンテンツ全体の画像サイズを基にコンテンツ全体の中での現在位置の算出を行う。また、表示手段７０は、コンテンツ全体の画像サイズと現在位置を基に、コンテンツ全体における現在位置をページスクロール表示形式で表示する。なお、表示形式としては、ページ数で表示する表示形式も考えられるが、この場合は、データ量算出手段５０において全ページ数を算出し、画面位置算出手段６０において現在のページを算出することにより、ページ数表示形式で現在位置を表示することができる。
【００２２】
ここで、データ放送受信端末１００の表示手段７０に表示するコンテンツ全体における現在位置の表示例を図２および図３に示す。
【００２３】
図２は、本発明の実施の形態１における、データ放送受信端末１００の表示手段７０にページスクロール表示形式で表示された表示例であり、１０１はページスクロール表示、１０２はページスクロールを行うキー入力部である。
【００２４】
図３は、本発明の実施の形態１における、データ放送受信端末１００の表示手段７０にページ数表示形式で表示された表示例であり、２０１はページ数表示、２０２はページ切換えを行うキー入力部である。
【００２５】
次に、先読みデータ記憶手段３０における先読みデータの記憶の方法として３つの記憶方法があるが、以下にそれぞれの記憶方法について説明する。
【００２６】
一つ目の方法は、先読みしたデータを全部記憶する方法である。この方法においては、操作手段８０で操作して表示手段７０に表示しているページの上端または下端に移動し、イベント検出手段４０で遷移情報イベントを検索して次ページあるいは前ページに遷移する場合、予め先読みして先読みデータ記憶手段３０に記憶していた次ページあるいは前ページのデータを表示データ記憶手段２０にコピーすることで、素早くページ切換えをすることができる。ただし、この方法は先読みした全データを蓄積するため、データ放送受信端末１００のメモリ（先読みデータ記憶手段３０）を大量に消費するという欠点がある。
【００２７】
二つ目の方法は、現在表示しているページの前後のページのデータのみを記憶する方法である。この方法も上記一つ目の方法と同様に、操作手段８０で操作して表示手段７０に表示しているページの上端または下端に移動し、イベント検出手段４０で遷移情報イベントを検出して次ページあるいは前ページに遷移する場合、予め先読みして先読みデータ記憶手段３０に記憶していた次ページあるいは前ページのデータを表示データ記憶手段２０にコピーすることで、素早くページ切換えをすることができる。次ページあるいは前ページに遷移した後は、再び遷移したページの前後のページのデータをコンテンツ受信手段１０より読み出して先読みデータ記憶手段３０に記憶しておく。この二つ目の方法においては、素早くページ切換えをすることができ、また、データ放送受信端末１００のメモリの消費量も一つ目の方法よりも少なく済ますことができる。
【００２８】
三つ目の方法は、コンテンツ受信手段１０より先読みしたデータは、データ量算出手段５０においてデータ量の算出が終わり次第破棄する。この方法においては、操作手段８０で操作して表示手段７０に表示しているページの上端または下端に移動し、イベント検出手段４０で遷移情報イベントを検出して次ページあるいは前ページに遷移する場合、表示データ記憶手段２０はコンテンツ受信手段１０から遷移先ページのデータを取得して記憶し、その記憶した遷移先ページのデータを表示手段７０に表示することでページの切換えを行う。この三つ目の方法では、ページ切換えのスピードが上記一つ目の方法および二つ目の方法に比べて遅いが、先読みしたデータをデータ量の算出が終わり次第破棄するため、データ放送受信端末１００のメモリの消費量を上記３つの記憶方法の中で最も少なくすることができる。
【００２９】
次に、コンテンツ受信手段１０が受信したデータ放送のコンテンツが更新された場合の動作について説明する。
【００３０】
コンテンツ更新判別手段９０は、コンテンツ受信手段１０から、コンテンツ受信手段１０が受信したデータ放送のコンテンツのデータを定期的に読み込み、コンテンツの更新の有無を判別する。コンテンツ更新判別手段９０において、コンテンツの更新が無いと判別されている場合はなにもせず、コンテンツの更新が有ったと判別された場合、コンテンツ更新判別手段９０は、先読みデータ記憶手段３０に先読みデータが記憶されているときはこの記憶されている先読みデータを破棄し、さらに、データ量算出手段５０で算出したデータ量に関する情報と画面位置算出手段６０で算出した画面位置に関する情報を破棄し、データ放送受信端末１００を受信開始時の状態に遷移させる。すなわち、更新されたコンテンツの先頭ページを表示手段７０に表示するとともに、データ量算出手段５０が更新されたコンテンツの全体のデータ量を再度算出し、その算出したコンテンツ全体のデータ量を表示手段７０に表示する。
【産業上の利用可能性】
【００３１】
本発明に係るデータ放送受信端末は、コンテンツが複数ページに分割されて送信されるデータ放送を受信する受信端末、特に表示画面の大きさが物理的に制約のある携帯受信端末に有用である。
【図面の簡単な説明】
【００３２】
【図１】本発明の実施の形態１における、データ放送受信端末の構成例を示すブロック図
【図２】本発明の実施の形態１における、データ放送受信端末の表示部にページスクロール表示方法で表示された表示例を示す図
【図３】本発明の実施の形態１における、データ放送受信端末の表示部にページ数表示方法で表示された表示例を示す図
【符号の説明】
【００３３】
１０  コンテンツ受信手段
２０  表示データ記憶手段
３０  先読みデータ記憶手段
４０  イベント検出手段
５０  データ量算出手段
６０  画面位置算出手段
７０  表示手段
８０  操作手段
９０  コンテンツ更新判別手段
１００  データ放送受信端末
１０１  ページスクロール表示
１０２  ページスクロールを行うキー入力部
２０１  ページ数表示
２０２  ページ切換えを行うキー入力部
【図１】
2006211301.tif 000003
【図２】
2006211301.tif 000004
【図３】
2006211301.tif 000005